(57)【要約】【課題】蓋を完全にまた確実に閉めスチーム又はドレンが外部に漏洩することを防止可能であり、さらに目視によるドレン確認を安全に行うことができるドレンポットを提供する。【解決手段】本発明に係るドレンポット１は、ドレン管１００から排出されるドレンの排出状況を目視で確認可能なドレンポット１であって、上部が開口したドレンポット本体３と、前記ドレンポット本体３と分離自在な、前記ドレンポット本体３の上部開口部を覆い塞ぐ蓋５（５ａ、５ｂ）と、前記ドレンポット本体３内に位置する、前記ドレン管１００の先端部１０２外周に取付けられたドレン飛散防止板７と、前記ドレンポット本体３の上部開口部を覆い塞ぐように前記蓋５を固定する固定手段９と、を備える。これによりスチーム、ドレンの外部漏洩を確実に防ぎ、また目視によるドレン確認を安全に行うことができる。【選択図】図１
2011141009.tif 000002
【特許請求の範囲】
【請求項１】
ドレン管から排出されるドレンの排出状況を目視で確認可能なドレンポットであって、
上部が開口したドレンポット本体と、
前記ドレンポット本体と分離自在な、前記ドレンポット本体の上部開口部を覆い塞ぐ蓋と、
前記ドレンポット本体内に位置する、前記ドレン管の先端部外周に取付けられたドレン飛散防止板と、
前記ドレンポット本体の上部開口部を覆い塞ぐように前記蓋を固定する固定手段と、
を備えることを特徴とするドレンポット。
【請求項２】
前記固定手段は、前記ドレン飛散防止板に上向きに取付けられ前記蓋を貫通する長さを有するボルト、前記ボルトに螺合し蓋を固定するナットからなり、
前記蓋には、前記ボルトが挿通する孔が設けられていることを特徴とする請求項１に記載のドレンポット。
【請求項３】
前記ドレン飛散防止板は、上面が前記ドレンポット本体の上端と同じ高さに取付けられていることを特徴とする請求項１又は２に記載のドレンポット。
【請求項４】
前記蓋は、分割自在に形成されていることを特徴とする請求項１から３のいずれか１に記載のドレンポット。
【発明の詳細な説明】
【技術分野】
【０００１】
本発明は、ドレン管から排出されるドレンの排出状況を目視で確認可能なドレンポットに関する。
【背景技術】
【０００２】
スチームトレース等のドレンの排出状況を確認するために、ドレンの排出先にドレンポットが設けられていることが多い。スチームの正常な流れやドレンの排出の有無を確認するために、点検者は、定期的にドレンポットを点検している。点検方法としては、ドレンの排出音を聞く方法、手で触って温度を確認する方法、蓋を開け目視によりドレンの排出状況を確認する方法がとられている。当然のことであるが目視による確認は、直接的な方法であり信頼性が高く一般に広く採用されている。
【０００３】
図４は、従来のドレンポット５１の概略的構成を示す縦断面図である。図５は、図４に示す従来のドレンポット５１の平面図である。従来のドレンポット５１は、ドレンポット本体５３、蓋５５を含み構成されている。スチームトレース等のドレンは、ドレン管１００からドレンポット５１に導かれ、ドレンポット本体５３に入ったドレンはドレン排出孔５７から排出される。蓋５５は、ドレンポット本体５３に開閉不能に固定された固定部５９及び開閉可能な開閉部６１、開閉部６１を固定部５９に回動自在に接続する蝶番６３を含み構成され、点検者は、蓋５５の開閉部６１を開けることで、ドレン管１００からのドレンの排出状況を確認することができる。
【０００４】
また、ドレンの排出状況を確認する方法に電極を用い、ドレンポット内の水位の変化を電気的に計測することで、ドレン回収装置の集中管理を可能にし、現場パトロールによる点検を最小限度にする方法が提案されている（例えば特許文献１参照）。
【先行技術文献】
【特許文献】
【０００５】
【特許文献１】特開２００２−１５６０９４号公報
【発明の概要】
【発明が解決しようとする課題】
【０００６】
図４及び図５に示す従来のドレンポット５１は、蓋５５の開閉部６１が蝶番６３を介して取付けられているため、さび、ごみなどが蝶番６３に詰まり手で開けることが困難となったり、蓋５５の開閉部６１が完全に閉じなくなることがある。蓋５５の開閉部６１が完全に閉じない状態においては、外部にスチーム又はドレンが飛び出し危険であると同時に、見た目もよくない。また、従来のドレンポット５１では、点検者が蓋５５の開閉部６１を開けてドレンの排出状況を確認するときに、ドレン管１００から噴出したドレンが外部に飛び散り火傷などの怪我をする危険がある。
【０００７】
特許文献１に記載の技術は、集中管理室からドレンの排出状況が確認できるため、点検者の目視による現場での確認作業を省略することができるが、水位の計測手段が故障し誤った判断をする恐れがある。このため目視による確認が確実であり望ましい。
【０００８】
本発明の目的は、蓋を完全にまた確実に閉めスチーム又はドレンが外部に漏洩することを防止可能であり、さらに目視によるドレン確認を安全に行うことができるドレンポットを提供することである。
【課題を解決するための手段】
【０００９】
本発明は、ドレン管から排出されるドレンの排出状況を目視で確認可能なドレンポットであって、上部が開口したドレンポット本体と、前記ドレンポット本体と分離自在な、前記ドレンポット本体の上部開口部を覆い塞ぐ蓋と、前記ドレンポット本体内に位置する、前記ドレン管の先端部外周に取付けられたドレン飛散防止板と、前記ドレンポット本体の上部開口部を覆い塞ぐように前記蓋を固定する固定手段と、を備えることを特徴とするドレンポットである。
【００１０】
また本発明は、前記ドレンポットにおいて、前記固定手段は、前記ドレン飛散防止板に上向きに取付けられ前記蓋を貫通する長さを有するボルト、前記ボルトに螺合し蓋を固定するナットからなり、前記蓋には、前記ボルトが挿通する孔が設けられていることを特徴とする。
【００１１】
また本発明は、前記ドレンポットにおいて、前記ドレン飛散防止板は、上面が前記ドレンポット本体の上端と同じ高さに取付けられていることを特徴とする。
【００１２】
また本発明は、前記ドレンポットにおいて、前記蓋は、分割自在に形成されていることを特徴とする。
【発明の効果】
【００１３】
本発明に係るドレンポットは、ドレンポット本体の上部開口部を覆い塞ぐように蓋を固定する固定手段を備えているので、蓋を完全にまた確実に閉めることが可能であり、スチーム又はドレンが外部に漏洩することを確実に防止できる。またドレン管の先端部外周にはドレン飛散防止板が取付けられているので、蓋を開け、ドレンの排出状況を確認するとき、ドレンが直接点検者に降りかかることがなく、安全にドレンの排出状況を確認することができる。
【００１４】
また本発明によれば、前記固定手段は、ドレン飛散防止板に上向きに取付けられ蓋を貫通する長さを有するボルト、ボルトに螺合しドレンポット本体を覆うように蓋を固定するナットからなるので、簡便な構造ながら蓋を確実に閉めることができる。また固定手段がドレン飛散防止板を利用して設けられているので製作が容易である。また、蓋には、ボルトが挿通する孔が設けられているので、ボルトの長さを十分に長くすれば、蓋をボルトから取外すことなくナットを緩め、蓋を上に持ち上げるだけでドレンの排出状況を確認することができる。ナット及び蓋を取外す必要がないので、これらを紛失することがない。
【００１５】
また本発明によれば、ドレン飛散防止板は、上面がドレンポット本体の上端と同じ高さに取付けられているので、蓋をドレン飛散防止板とナットとで挟むように固定することが可能であり、蓋を確実に固定することができる。
【００１６】
また本発明によれば、蓋が分割自在に形成されているので、ドレン管が先に設置されていても蓋を後から取付けることも可能であり、容易かつ安価に製作することができる。またドレンを確認するとき、いずれか１の蓋部材を開いてもよく、使い勝手がよい。
【図面の簡単な説明】
【００１７】
【図１】本発明の実施の一形態としてのドレンポット１の概略的構成を示す縦断面図である。
【図２】図１に示す本発明のドレンポット１の平面図である。
【図３】図１に示す本発明のドレンポット１の蓋５のうち半割蓋５ａを開けた状態を示す縦断面図である。
【図４】従来のドレンポット５１の概略的構成を示す縦断面図である。
【図５】図４に示す従来のドレンポット５１の平面図である。
【発明を実施するための形態】
【００１８】
図１は、本発明の実施の一形態としてのドレンポット１の概略的構成を示す縦断面図である。図２は、図１のドレンポット１の平面図である。図３は、図１のドレンポット１の
蓋５のうち半割蓋５ａを開けた状態を示す縦断面図である。ドレンは、スチームトレース、エアーコンプレッサ、ボイラの蒸気管の上部の空気溜まりなどから排出されるドレンなどであり、ドレンポット１は、ドレン受けとして機能する。以下、スチームトレースから排出されるドレンを受けるドレンポット１を例として説明する。
【００１９】
ドレンポット１は、上部が完全に開口したドレンポット本体３と、ドレンポット本体３の上部開口部１１を覆う蓋５（５ａ、５ｂ）と、ドレン管１００の先端部１０２に取付けられたドレン飛散防止板７及び蓋５を固定するための固定手段９を含み構成される。ドレンポット１を構成する各部材は、炭素鋼、ステンレス鋼などの鉄鋼材料からなる。
【００２０】
ドレンポット本体３は、ドレン管１００から急激に排出されるドレンを一時的に受け止めるための容器であり、ドレン管１００の先端部１０２がドレンポット本体３内に位置する。ドレンポット本体３は、上方が円筒形状を有し下方が逆円錐形状の容器である。ドレンポット本体３の上端１３は全面開口しており、底部にはドレンを排出するためのドレン排出孔１５が設けられている。ドレンポット本体３の形状は、本実施形態に示す形状に限定されるものではなく、上方が方形筒状であってもよい。ドレンポット本体３の大きさは、特定の大きさに限定されないことは言うまでもないが、大きさの一例を示せば、１５Ａのドレン管１００が１本の場合、円筒部１７の外径が１００ｍｍ〜１５０ｍｍ程度であり、円筒部１７の高さは約１００〜１３０ｍｍ程度である。なお、図１から図３ではドレン管１００が１本の例を示しているけれども、ドレンポット本体３に挿入されるドレン管の本数は２本以上であってもよく、ドレン管が複数本の場合は、必要に応じてドレンポット本体３の大きさを大きくすればよい。
【００２１】
ドレン管１００は、平面視においてドレンポット本体３の中心に位置し、ドレン管１００の先端部１０２がドレンポット本体３内に位置するように配設されている。ドレン管１００の大きさは特定の大きさに限定されないけれども、標準的には１０Ａ〜２５Ａ程度の大きさである。
【００２２】
ドレン排出孔１５は、図示を省略したドレン排出管と接続し、ドレン管１００を通じてドレンポット本体３内に排出されたドレンは、ドレン排出管を介して図示を省略したドレン回収装置又は排水処理装置に送られる。
【００２３】
蓋５は、ドレンポット本体３と分離しており、固定手段９を介してドレンポット本体３の上部開口部１１を覆い塞ぐように取付けられる。蓋５は、半割状の２つの半割蓋５ａ、５ｂからなり、２つの半割蓋５ａ、５ｂは、ドレンポット本体３の上部開口部１１を覆う半円状の閉止板２１（２１ａ、２１ｂ）と、この閉止板２１の周縁部に閉止板２１に直交するように取付けられた帯状体２３（２３ａ、２３ｂ）とを有する。閉止板２１の中心部には、ドレン管１００が入り込む半円状の切欠き部２５（２５ａ、２５ｂ）が設けられ、さらに、後述のボルト３７が挿通するためのボルト貫通孔２７（２７ａ、２７ｂ、２７ｃ、２７ｄ）が各々２ケ穿設されている。蓋５（５ａ、５ｂ）をドレンポット本体３に取付けると、蓋５はドレンポット本体３の上部開口部１１を隙間なく覆い塞ぎ、スチーム又はドレンの外部漏洩を防止する。また、２つの帯状体２３が形成する円の大きさは、ドレンポット本体３の外径よりも僅かに大きくなるように形成されている。２つの半割蓋５ａ（５ｂ）のいずれか１方の閉止板２１ａ（２１ｂ）の中央部に、他方の半割蓋５ｂ（５ａ）の閉止板２１ｂ（２１ａ）の一部に覆い被さる板を設けてもよい。このようにすることで、スチーム又はドレンの外部漏洩をより確実に防止することができる。
【００２４】
本実施形態に示す蓋５は半割構造からなるが、蓋５を一体型としてもよい。蓋５を一体型とすると、スチーム又はドレンの外部漏洩をより確実に防止することができる。一方、後述のドレン飛散防止板７をドレン管１００の先端部１０２に溶接付けして固定するような場合には、蓋５にドレン管１００が通る貫通孔を設け、ドレン飛散防止板７をドレン管１００の先端部１０２に固着する前に、ドレン管１００に通しておく必要があるなど、施工、工事上の制約を受けることがある。これに対して半割構造からなる蓋５の場合、ドレン管１００が先に設置されていても蓋５を後から取付けることも可能であり、施工、工事上の制約が少なく容易かつ安価に製作することができる。また蓋５を半割構造とすれば、既設のドレンポットを改造する場合も容易である。なお、２本以上のドレン管１００が１つのドレンポット本体３に挿入される場合など、必要に応じて蓋５を半割構造に代え、さらに分割可能に構成してもよい。
【００２５】
このような蓋５は、ドレンポット本体３と分離可能なためドレンポット本体３の上部開口部１１を全面的に開放することができ、ドレンポット本体３内を十分に視認することができる。複数本のドレン管１００が挿入されている場合であっても、ドレンの排出状況を十分に確認できる。また必要に応じて図３に示すように蓋５を半分だけ開けることも可能であり便利である。蓋５には、蓋５を持ち上げ開けるための取手を取付けてもよい。
【００２６】
ドレン飛散防止板７は、ドレンの飛散を防止するための円盤状の平板であり、ドレン管１００の先端部１０２に溶接で固定されており、ドレンポット本体３内に位置する。ドレン飛散防止板７は、中心部にドレン管１００が貫通する貫通孔（図示省略）が穿設されている。ドレン飛散防止板７は、この貫通孔を介してドレン管１００に少し挿入され、溶接にて固定されており、ドレン飛散防止板７の下方に、ドレン管１００が少し飛び出している。ドレン飛散防止板の下面２９に対しドレン管の先端１０４を突出させると、ドレン管１００から排出されたドレンがドレン飛散防止板７に付かず、ドレン管１００から排出されるドレンが視認しやすくなる。ドレン飛散防止板７のドレン管１００への固定方法は上記方法に限定されるものではない。上記方法に代え、ドレン飛散防止板の下面２９中央にドレン管１００が入り込む貫通孔に連通する短管を設け、この短管に直交するようにめねじを設け、ボルトを介してドレン飛散防止板７をドレン管１００に固定してもよい。
【００２７】
またドレン飛散防止板７は、上面３１がドレンポット本体の上端１３と同じ高さに取付けられている。このため後述する固定手段９で蓋５をドレン飛散防止板７に固定したときに、蓋５がドレンポット本体の上端１３と同じ位置に保持される。ドレン飛散防止板７の上面３１をドレンポット本体の上端１３と同じ高さとすることで、無理なくまた確実に蓋５でドレンポット本体の上部開口部１１を覆い塞ぐことができる。ドレン飛散防止板の上面３１がドレンポット本体３の上端１３より低い位置にあると、蓋５を固定手段で固定するとき蓋５がへこみ、逆に高い位置にあると、蓋５とドレンポット本体３の上端１３との間に隙間が生じ、スチーム又はドレンが外部に漏れてしまう。よってドレン飛散防止板７は、スチーム又はドレンが外部に漏れないように、上面３１がドレンポット本体３の上端１３と同じ高さか、ほんの僅か低い位置となるように取付けるべきである。
【００２８】
ドレンの飛散を防止するためには、ドレン飛散防止板７の直径は大きいことが望ましいが、必要以上に大きくするとドレンの排出状況の確認が困難となるので、ドレン飛散防止板７の外周３３とドレンポット本体３の内壁３５との間に一定の距離が必要である。この距離は、ドレンポット本体３の大きさで変わることは当然であるが、ドレンポット本体３の内径が１００〜１５０ｍｍ程度であれば、ドレン飛散防止板７の外周３３とドレンポット本体３の内壁３５との間の距離を１０ｍｍ〜３０ｍｍ程度とすれば、ドレンの飛散防止と視認容易性を両立できる。
【００２９】
固定手段９は、ボルト３７（３７ａ、３７ｂ、３７ｃ、３７ｄ）及びナット３９（３９ａ、３９ｂ、３９ｃ、３９ｄ）で構成され、蓋５がドレンポット本体３の上部開口部１１を覆い塞ぐようにドレン飛散防止板７とナット３９で挟み固定する。ボルト３７は、各々の半割蓋５ａ、５ｂに対して２本設けられている。各ボルト３７は、ドレン飛散防止板７に穿設された貫通孔４１（４１ａ、４１ｂ、４１ｃ、４１ｄ）を貫通し鉛直上向きに取付けられている。各ボルト３７は、頭部がドレン飛散防止板７に溶接止めされているので、各ボルト３７が、ドレン飛散防止板７から抜け落ちることはない。各ボルトは、全ねじであり、点検者がナット３９をボルト３７から取り外さずに蓋５を開け点検できる十分な長さを有する。ボルト３７のドレン飛散防止板７への固定方法は、他の方法であってもよいけれども、ナット３９を締めるとき共廻りせず、ナット３９を外してもドレン飛散防止板７から抜け落ちないことが必要である。
【００３０】
蓋５をドレン飛散防止板７へ固定する方法として、ドレン飛散防止板７にめねじを設け、蓋５の上からボルト３７をねじ込み固定してもよいが、本実施形態に示すようにドレン飛散防止板７に上向きにボルト３７を取付けると、ボルト３７がガイドの役目も果たすので、蓋５をドレンポット本体３から取外し、再度取付ける場合も簡単に取付けることができ好ましい。また、本実施形態に示すようにドレン飛散防止板７にボルト３７を取付けると、ボルト３７を取付けるためにドレンポット本体３を改良する必要がなく製作が容易である。
【００３１】
以上からなるドレンポット１は、通常、図１に示すように蓋５に穿設されたボルト貫通孔２７にボルトが挿通し、蓋５は、閉止板２１の下面２２をドレン飛散防止板７の上面３１及びドレンポット本体３の上端１３に接触させ、ドレンポット本体３の上部開口部１１を覆い塞ぐようにナット３９でしっかり固定されている。これよりスチーム又はドレンが外部に漏洩することを確実に防止できる。蓋５をボルト３７及びナット３９で固定する方法を採用するので、ヒンジなどで蓋を開閉させる方法に比べ、ドレンポット本体３の上部開口部１１を覆い塞ぐことに対する信頼性が高い。ドレンの排出状況を確認するときは、ナット３９を緩め、いずれか一方、又は両方の蓋５ａ、５ｂを持ち上げることでドレンの排出状況を確認することができる。本ドレンポット１では、ボルト３７の長さを長く取っているのでナット３９及び蓋５を外すことなく、ナット３９を緩め蓋５を上に持ち上げるだけでドレンの排出状況を確認することができる。このためナット３９及び蓋５を紛失することがない。また、ドレンの排出状況を確認するとき、ドレン管１００には、ドレン飛散防止板７が取付けられているため、ドレンが直接点検者に当たることはなく安全に点検できる。
【符号の説明】
【００３２】
１  ドレンポット
３  ドレンポット本体
５  蓋
５ａ、５ｂ  半割蓋
７  ドレン飛散防止板
９  固定手段
１１  ドレンポット本体上部開口部
１３  ドレンポット上端
２７  ボルト貫通孔
３１  ドレン飛散防止板上面
３７  ボルト
３９  ナット
１００  ドレン管
１０２  ドレン管先端部
【図１】
2011141009.tif 000003
【図２】
2011141009.tif 000004
【図３】
2011141009.tif 000005
【図４】
2011141009.tif 000006
【図５】
2011141009.tif 000007